(57)【要約】【課題】持続的な芳香性を実現することができるランプを提供する。【解決手段】ランプ１は、発光管２と口金部材３とを有する。口金部材３は、発光管２において発生する熱により揮発する芳香物質が設けられた芳香部４を有し、発光管２に接続されており、発光管２へ電気エネルギーを供給する。芳香部４は、口金部材３と着脱可能に口金部材３に設けられている。【選択図】図１
2008288137.tif 000002
【特許請求の範囲】
【請求項１】
発光管と、
前記発光管において発生する熱により揮発する芳香物質が設けられた芳香部を有し、該発光管に接続されており、該発光管へ電気エネルギーを供給する口金部材と、
を有し、
前記芳香部は、前記口金部材と着脱可能に該口金部材に設けられている、
ランプ。
【請求項２】
前記芳香部における前記口金部材と着脱可能に設けられた部分が弾性体である、請求項１に記載のランプ。
【請求項３】
前記発光管は、白熱電球管、蛍光灯管、 ハロゲン電球管または 高輝度放電灯管である、請求項１または２に記載のランプ。
【請求項４】
前記蛍光灯管は、環形型、直管型またはコンパクト型を含む、請求項３に記載のランプ。
【請求項５】
前記芳香物質は前記芳香部に塗り付け、または吹き付けされている、請求項１から４のいずれか１項に記載のランプ。
【請求項６】
前記芳香部には、さらに防虫物質が設けられている、請求項１から５のいずれか１項に記載のランプ。
【請求項７】
前記芳香部は透明性を有する物質でできている、請求項１から６のいずれか１項に記載のランプ。
【請求項８】
透明性を有する前記物質は、熱可塑性樹脂、熱硬化性樹脂またはガラスである、請求項７に記載のランプ。
【請求項９】
前記発光管の形状が環形、球形、円筒形、四角形またはＵ字形である、請求項１から８のいずれか１項に記載のランプ。
【請求項１０】
前記口金部材は、さらに、前記発光管と電気的に接続している導電部と、該導電部と前記芳香部との間に配置されており、該導電部が該口金部材の外に曝露するのを防止している曝露防止部と、を有する、請求項１から９のいずれか１項に記載のランプ。
【請求項１１】
前記導電部は係合部を有するとともに、前記曝露防止部は第１の係合部と第２の係合部とを有し、
前記芳香部は前記曝露防止部の前記第１の係合部と係合する係合部を有しているとともに、前記導電部の前記係合部は該曝露防止部の前記第２の係合部と係合している、請求項１０に記載のランプ。
【請求項１２】
前記導電部は係合部を有するとともに、前記曝露防止部は第１の係合部と第２の係合部とを有し、
前記芳香部は前記曝露防止部の前記第１の係合部と係合する係合部を有しており、前記導電部の前記係合部と該曝露防止部の前記第２の係合部とが係合しており、かつ該導電部と該曝露防止部とがネジ部材により固定されている、請求項１０に記載のランプ。
【請求項１３】
前記芳香部は縁部を有し、前記曝露防止部は縁部と第２の係合部とを有し、かつ前記導電部は係合部を有し、
前記芳香部の前記縁部と前記曝露防止部の前記縁部とが接触しており、前記導電部の前記係合部と該曝露防止部の前記第２の係合部とが係合しており、かつ該導電部、該曝露防止部及び該芳香部がネジ部材により固定される、請求項１０に記載のランプ。
【発明の詳細な説明】
【技術分野】
【０００１】
本発明はランプに関し、特に、芳香性物質を有するランプに関する。
【背景技術】
【０００２】
図５に示すように、芳香性を有する防虫剤を含む光源装置が開示されている（特許文献１参照）。光源装置１０１においては、環形蛍光ランプ１０２の一部である口金１０３に、揮発成分の一例である芳香性を有する防虫物質１０６が設けられている。
【特許文献１】特開２００７−５４号公報
【発明の開示】
【発明が解決しようとする課題】
【０００３】
しかしながら、この光源装置の口金に塗布された芳香性を有する防虫物質が全て揮発し無くなった際に新しい防虫物質に交換できないことで、光源装置が持続的な芳香性を実現できていないという問題があった。
【０００４】
本発明は、上記事情に鑑みてなされたものであり、持続的な芳香性を実現することができるランプを提供することを目的とする。
【課題を解決するための手段】
【０００５】
本発明の一態様のランプは、発光管と、発光管において発生する熱により揮発する芳香物質が設けられた芳香部を有し、発光管に接続されており、発光管へ電気エネルギーを供給する口金部材と、を有し、芳香部は、口金部材と着脱可能に口金部材に設けられている。
【発明の効果】
【０００６】
本発明のランプにおける着脱可能な芳香部は、ランプがその寿命時間に達するまで持続的に芳香性を発揮することができる。
【発明を実施するための最良の形態】
【０００７】
以下、図面を参照しながら本発明のランプの実施例を詳細に説明する。
【０００８】
（第１の実施例）
図１は、本発明の第１の実施例に係るランプを示す斜視図である。ランプ１は、発光管２と、発光管２に接続されており、発光管２へ電気エネルギーを供給する口金部材３とで構成されている。
【０００９】
発光管２の内部には、放電物質と、放電物質による持続的な電磁波放射を補助する機能を有する放電補助物質とが封入されている。放電物質は、不図示のフィラメントから放射される熱電子と衝突することで、そのエネルギーが励起される。この励起状態から基底状態へ遷移するときに両状態間のエネルギー準位差に相当する振動数の電磁波（特に、紫外線）を放射する。放電物質としては、水銀蒸気が好適に用いられる。一方、放電補助物質としては、ネオン、アルゴン、クリプトン、キセノンなどの希ガスのいずれか、またはそれらを組み合わせた混合ガスを好適に用いることができる。さらに、発光管２の内面には、放電物質が放射する紫外線を可視光線へと変換する機能を有する蛍光体が設けられている。この蛍光体としては、アンチモンイオン及びマンガンイオンを含む化合物、テルビウムまたはユーロビウムなどの希土類元素の陽イオンを含む化合物などを用いてもよい。
【００１０】
また、発光管２の形状は、図１に示すような環形に限らず、球形、円筒形、四角形またはＵ字形を採用してもよい。発光管２は、上記の蛍光灯管に限らず、希ガス及び窒素などの不活性ガスが封入された白熱電球管、ハロゲン元素ガスが封入された ハロゲン電球管、あるいは高圧ナトリウム灯、メタルハライドランプまたは水銀灯に用いられる  高輝度放電灯管を採用することができる。蛍光灯管の種類としては、環形型、直管型またはコンパクト型を含む。環形型の蛍光灯管は、口金部材が発光管の両端部の外周面を覆うように設けられており、発光管の形状が環形である。直管型の蛍光灯管は、口金部材が発光管の両端部に設けられおり、発光管の形状が円筒形である。コンパクト型の蛍光灯管は、口金部材が発光管の一方の端部にのみ設けられており、発光管の形状が円筒形またはＵ字形である。
【００１１】
口金部材３は、芳香部４と、導電部５と、曝露防止部６とで構成されている。芳香部４には芳香物質が設けられている。導電部５は、発光管２に対して芳香部４の反対側に位置しており、発光管２と電気的に接続している。曝露防止部６は、導電部５と芳香部４との間に配置されており、導電部５が口金部材３の外に曝露するのを防止している。
【００１２】
芳香部４は、弾性部を有し、この弾性部により口金部材３と着脱可能に口金部材３に設けられている。ここで言う弾性部は、以下の記述における芳香部４に設けられた係合部及び側壁部に相当することを注記する。この構成により、全ての芳香物質が揮発してなくなってしまった際に、すぐに芳香部４を口金部材３から取り外すことができる。その後、新しい芳香物質を芳香部４に設け、再び、この芳香部４を口金部材３に取り付けることができる。または、芳香部４を新しい部品に交換し、その部品に芳香物質を設けた後に、新しい部品である芳香部４を口金部材３に取り付ける形態を採ってもよい。したがって、ランプ１がその寿命時間に達するまで、この着脱可能な芳香部４は持続的に芳香性を発揮することができる。
【００１３】
芳香部４の内面に設けられた芳香物質は、発光管２の発熱に伴って口金部材３の内部の温度が上昇することにより揮発する。その後、揮発した芳香物質は、芳香部４に設けられた不図示の開口部からランプ１の外部へ放散される。この発光管２で発生する熱は、発光管２に供給される電気エネルギーが放電現象を持続させるエネルギーとして使用された後に残ったエネルギーの変換形態である。芳香物質を芳香部４へ付着させる方法としては、塗り付け、吹き付けなどの方法が好適に用いられる。芳香部４には、防虫物質が設けられていてもよい。芳香物質と防虫物質とを有する芳香部４により、芳香性のみならず防虫性能も好適に発揮することが可能となる。
【００１４】
芳香部４は透明性を有し、透光性を発揮する物質でできている。具体的には、この物質は、熱可塑性樹脂、熱硬化性樹脂またはガラスであるのが好適である。この透明性を有する芳香部４が口金部材３に設けられていることで、以下の２つの効果が生じる。１つ目の効果は、芳香部４において経年劣化による変色が認められた際に、すぐに芳香部４を取り外し、新しい部品と交換することができることである。２つ目の効果に関連し、口金部材３は一般的に透光性が低いため、ランプ１において口金部材３は影の部分となっている現状がある。一方、本発明の芳香部４は透光性を発揮しているため、発光管２のみならず口金部材３を含むランプ１全体による光照射が可能となる。したがって、このランプ１により均一な輝度の分布を有した光を得ることができるという２つ目の効果が生じる。
【００１５】
導電部５は、絶縁部７と接続ピン８とを有する。絶縁部７は、発光管２の外周面の半分を覆っており、絶縁性を有する。接続ピン８は、絶縁部７上に設けられており、交流電源と接続するソケット（不図示）に嵌り合う。絶縁部７は、樹脂でできている。一方、接続ピン８は、電気伝導性を有する物質でできている。
【００１６】
曝露防止部６は、下端部において芳香部４の上端部と接続しており、上端部において導電部５の下端部と接続している。曝露防止部６と導電部５との接続により、曝露防止部６と導電部５とが発光管２の外周面の一部を覆うように構成される。
【００１７】
次に、ランプ１の内部構成を図１の断面図である図２を参照して詳細に説明する。
【００１８】
芳香部４は、底壁部９と、底壁部９から上方に延びている側壁部１０と、側壁部１０の上端に設けられている係合部１１とで構成されている。芳香部４は、底壁部９、側壁部１０及び係合部１１により実質的にＵ字状に形成されている。しかし、芳香部４の上端に係合部１１が設けられている芳香部４の構成であれば、芳香部４の形状はＵ字状に限ることなく適宜他の形状に変更が可能である。底壁部９及び側壁部１０の内面２０により内部空間が形成されている。底壁部９及び側壁部１０の内面２０には、芳香物質が設けられている。この内部空間に芳香物質が揮発した気体が拡散した後、芳香部４に設けられた不図示の開口部からランプ１の外部へ揮発気体が放散される。
【００１９】
曝露防止部６は、第１の係合部１２と、第１の壁部１３と、第２の壁部１４と、第２の係合部１５とで構成されている。第１の係合部１２は、芳香部４の係合部１１と係合する。第１の壁部１３は、第１の係合部１２の上端から上方に延びている。第２の壁部１４は、第１の壁部１３の上端から上方かつ弧状に延びている。第２の係合部１５は、第２の壁部１４の上端に設けられており、導電部５の絶縁部７の係合部１９と係合している。
【００２０】
導電部５の絶縁部７は、基部１６と、第３の壁部１７と、第４の壁部１８と、係合部１９とで構成されている。基部１６には接続ピン８が設けられている。第３の壁部１７は、基部１６から下方に弧状に延びている。第４の壁部１８は、第３の壁部１７の下端から下方に延びている。係合部１９は、第４の壁部１８の下端に設けられており、曝露防止部６の第２の係合部１５と係合している。
【００２１】
芳香部４の口金部材３との着脱は、以下のように行われる。
【００２２】
取り付けの場合には、まず芳香部４を曝露防止部６に接近させる。すると、芳香部４の係合部１１が曝露防止部６の第１の係合部１２に当接する。両係合部１１、１２の当接関係を維持したまま芳香部４を曝露防止部６内の空間へ進入させると、芳香部４の係合部１１及び側壁部１０は、弾性体であるため、その底部を基点として芳香部４の内部空間の方向に撓む。さらに芳香部４を曝露防止部６内の空間へ進入させると、係合部１１及び側壁部１０の撓みの度合いが大きくなる。最終的には、係合部１１の接触面１１１と第１の係合部１２の接触面１２１とが接触した時点で係合部１１及び側壁部１０の撓みが解除され、芳香部４の口金部材３への取り付けが完了する。
【００２３】
一方、取り外しの場合には、芳香部４の係合部１１及び側壁部１０を、その底部を基点として芳香部４の内部空間の方向に撓ませる。係合部１１及び側壁部１０の撓みを大きくすると、芳香部４の係合部１１と曝露防止部６の第１の係合部１２との係止状態が解除される。この両係合部１１、１２の係止解除の状態を保ったまま芳香部４を口金部材３の下方に引き抜くことで、芳香部４は口金部材３から取り外すことができる。
【００２４】
したがって、芳香部４の係合部１１及び側壁部１０は、弾性体であるため、ある荷重範囲において復元可能に変形することで、芳香部４は口金部材３と着脱可能となる。
【００２５】
次に、導電部５と曝露防止部６との接続は、以下のように行われる。
【００２６】
導電部５を曝露防止部６内に挿入する。すると、導電部５の係合部１９が曝露防止部６の上端に位置する第２の係合部１５と当接する。さらに、係合部１９を第２の係合部１５と当接したまま導電部５を曝露防止部６内へ進入させる。すると、導電部５の係合部１９及び第４の壁部１８が弾性変形し、ランプ１の内部の方向（すなわち、発光管２がランプ１内に配置された方向）に撓む。これにより、導電部５の係合部１９が曝露防止部６内へ円滑に進入することができる。最終的に、導電部５の係合部１９の接触面１９１と曝露防止部６の第２の係合部１５の接触面１５１とが接触した時点で導電部５の係合部１９及び第４の壁部１８の撓みが解除され、導電部５と曝露防止部６との接続が完了する。
【００２７】
なお、図２で開示する第１の実施例の係合方法に限定されることはない。この係合方法を以下の各実施例で示されるくぼみ状係合部と突起状係合部との嵌め合いによる方法に、本発明の主旨を逸脱せずに変更することができる。
【００２８】
以下の実施例における芳香部の曝露防止部との着脱及び曝露防止部と導電部との接続は、第１の実施例の着脱方法及び接続方法とそれぞれ異なっている。以下では、主にこの異なる着脱及び接続の方法について述べることにする。
【００２９】
（第２の実施例）
図３は、本発明の第２の実施例の口金部材を有するランプを示す断面図である。第２の実施例における芳香部２３の口金部材２２との着脱方法は、第１の実施例における芳香部４の口金部材３との着脱方法と同一である。一方、導電部２４と曝露防止部２５との接続方法が第１の実施例と異なる。したがって、以下においては、導電部２４と曝露防止部２５との接続方法について述べることにする。
【００３０】
導電部２４は、絶縁体でできている絶縁部２６と、絶縁部２６の上に設けられている接続ピン２７とで構成されている。絶縁部２６の下端部には、くぼみ状の係合部３６が設けられている。一方、曝露防止部２５の基部３４の上端部には、突起状の弾性体である第２の係合部３５が設けられている。第２の係合部３５は、弾性体であるため、導電部２４の係合部３６に可撓性を有して嵌り合うことができる。ネジ部材３７が、導電部２４の絶縁部２６の実質的に中心の位置に設けられたネジ穴内に挿入されており、絶縁部２６と曝露防止部２５とを貫通している。
【００３１】
導電部２４と曝露防止部２５との接続は、次のように行われる。まず、導電部２４の係合部３６内に曝露防止部２５の第２の係合部３５を挿入する。すると、係合部３６と第２の係合部３５とが嵌り合う。両係合部３６、３５の嵌合状態を維持したまま、ネジ部材３７を、導電部２４の絶縁部２６の上縁から曝露防止部２５の下縁に向かって絶縁部２６と曝露防止部２５とを貫通させる。これにより、導電部２４と曝露防止部２５との接続が完了する。ネジ部材３７のネジ部と導電部２４の絶縁部２６、及びネジ部材３７のネジ部と曝露防止部２５とは摩擦的に接触している。この摩擦接触により、導電部２４と曝露防止部２５との接続は確実なものとすることができる。
【００３２】
なお、図３で開示する第２の実施例の嵌め合いによる係合方法に限定することなく、他の係合方法に本発明の主旨を逸脱せずに変更することができる。
【００３３】
（第３の実施例）
図４は、本発明の第３の実施例の口金部材を有するランプを示す断面図である。第３の実施例における芳香部４３の口金部材４２との着脱方法は上記の実施例と異なる。一方、導電部２９と曝露防止部３０との接続方法は第２の実施例と同一である。したがって、以下では、主に芳香部４３の口金部材４２との着脱方法について述べることにする。
【００３４】
芳香部４３は、弾性を有する縁部４９を備えており、内面４８に芳香物質が設けられており、かつ形状が弧状である。縁部４９は、曝露防止部４５の縁部５０と弾性を有して接触している。芳香部４３の縁部４９が曝露防止部４５の縁部５０と接触できるような芳香部４３の構成であれば、芳香部４３の形状は弧状に限らず適宜他の形状に変更できる。ネジ部材５５が、導電部４４の絶縁部４６の実質的に中心の位置に設けられたネジ穴内に挿入されており、絶縁部４６と曝露防止部４５とを貫通している。さらに、ネジ部材５５のネジ部が芳香部４３の内部に進入している。
【００３５】
芳香部４３の口金部材４２との着脱は、以下のように実施される。
【００３６】
芳香部４３の内面４８に設けられた芳香物質が無くなった際、ネジ部材５５のネジ部を芳香部４３の内部から引き抜くことで、芳香部４３を口金部材４２の曝露防止部４５から取り外すことができる。その後、新しい芳香物質を芳香部４３の内面４８に設ける。そして、芳香部４３の縁部４９を曝露防止部４５の縁部５０と接触させて、ネジ部材５５を導電部４４の上縁から挿入し、そのネジ部を芳香部４３の内部に進入させる。これにより、芳香部４３を口金部材４２の曝露防止部４５に取り付けることができる。
【００３７】
上記のように、第３の実施例では、芳香部４３の縁部４９が曝露防止部４５の縁部５０と弾性を有して接触し、さらに導電部４４、曝露防止部４５及び芳香部４３がネジ部材により一体的に固定される。したがって、芳香部４３の口金部材４２との固定をより確実なものとすることができる。
【００３８】
なお、図４で開示する第３の実施例の着脱方法に限定することなく、他の着脱方法に本発明の主旨を逸脱せずに変更することができる。
【図面の簡単な説明】
【００３９】
【図１】本発明の第１の実施例に係るランプを示す斜視図である。
【図２】本発明の第１の実施例の発光管及び口金部材を有するランプを示す、図１のランプのII―II矢視の断面図である。
【図３】本発明の第２の実施例の口金部材を有するランプを示す断面図である。
【図４】本発明の第３の実施例の口金部材を有するランプを示す断面図である。
【図５】従来の光源装置を示す要部拡大平断面図である。
【符号の説明】
【００４０】
１、２１、４１  ランプ
２  発光管
３、２２、４２  口金部材
４、２３、４３  芳香部
５、２４、４４  導電部
６、２５、４５  曝露防止部
３７、５５  ネジ部材
【図１】
2008288137.tif 000003
【図２】
2008288137.tif 000004
【図３】
2008288137.tif 000005
【図４】
2008288137.tif 000006
【図５】
2008288137.tif 000007